(57)【要約】【課題】  ３種類以上の優先度に応じてクラス分けされたパケットを対象とすることを前提とし、優先度の高いパケットを送信する際に優先度の高いパケットのゆらぎ量を小さくできるようにする。【解決手段】  パケット送信装置は、送信されるべきパケットを優先度に応じて３種類以上にクラス分けして格納する３つ以上のデータフレームバッファ部（１１１−１〜１１１−４）と、該３つ以上のデータフレームバッファ部に対応して設けられてクラス分けされたパケットに対してフラグメント処理を行なう３つ以上のデータフラグメント部（１１２−１〜１１２−４）と、クラス分けされた前記３つ以上のデータフレームバッファ部の監視を行い、各データフレームバッファ部の状態に応じて、クラス分けされた前記３つ以上のデータフラグメント部のそれぞれにフラグメントサイズを通知するパケット処理パラメータ部（１０４）と、を備える。【選択図】      図２
2011172135.tif 000002
【特許請求の範囲】
【請求項１】
送信されるべきパケットを優先度に応じて３種類以上にクラス分けして格納する３つ以上のデータフレームバッファ部と、
該３つ以上のデータフレームバッファ部に対応して設けられてクラス分けされたパケットに対してフラグメント処理を行なう３つ以上のデータフラグメント部と、
クラス分けされた前記３つ以上のデータフレームバッファ部の監視を行い、各データフレームバッファ部の状態に応じて、クラス分けされた前記３つ以上のデータフラグメント部のそれぞれにフラグメントサイズを通知するパケット処理パラメータ部と、
を備えることを特徴とするパケット送信装置。
【請求項２】
前記パケット処理パラメータ部は、優先度の高い前記データフレームバッファ部から優先度の高いパケットを一定のタイミングで送信する際に、前記優先度の高い前記データフレームバッファ部に対応する前記データフラグメント部以外の各データフラグメント部に対して優先度の低いパケットを適応的にフラグメントさせることを特徴とする請求項１に記載のパケット送信装置。
【請求項３】
前記パケット処理パラメータ部は、前記優先度の高い前記データフレームバッファ部に対応する前記データフラグメント部以外の各データフラグメント部に対するフラグメントサイズを、トラフィック状態に応じて可変であるように制御することを特徴とする請求項２に記載のパケット送信装置。
【請求項４】
送信されるべきパケットを優先度に応じて３種類以上にクラス分けして格納する３つ以上のデータフレームバッファ部と、該３つ以上のデータフレームバッファ部に対応して設けられてクラス分けされたパケットに対してフラグメント処理を行なう３つ以上のデータフラグメント部と、を含むパケット送信装置によるパケット送信方法であって、
クラス分けされた前記３つ以上のデータフレームバッファ部の監視を行い、その監視の状態に応じて、クラス分けされた前記３つ以上のデータフラグメント部のそれぞれにフラグメントサイズを通知することにより、優先度の低いパケットを適応的にフラグメントさせて優先度の高いパケットを一定のタイミングで送信することを特徴とするパケット送信方法。
【請求項５】
優先度の高い前記データフレームバッファ部から優先度の高いパケットを一定のタイミングで送信する際に、前記優先度の高い前記データフレームバッファ部に対応する前記データフラグメント部以外の各データフラグメント部に対して優先度の低いパケットを適応的にフラグメントさせることを特徴とする請求項４に記載のパケット送信方法。
【請求項６】
前記優先度の高い前記データフレームバッファ部に対応する前記データフラグメント部以外の各データフラグメント部に対するフラグメントサイズを、トラフィック状態に応じて可変であるように制御することを特徴とする請求項５に記載のパケット送信方法。
【発明の詳細な説明】
【技術分野】
【０００１】
本発明はパケット送信装置及びパケット送信方法に関する。
【背景技術】
【０００２】
次世代(３．９Ｇ)の無線基地局装置であるＬＴＥ(Long Term Evolution)に要求されるＥｔｈｅｒｎｅｔ（登録商標）通信においては、よりリアルタイム性を追求した通信サービスが求められると考えられる。また、ＩＥＥＥ１５８８のようなネットワーク同期に使用されるＰＴＰ(Precise Time Protocol)パケットがあり、パケットによっては、トラフィック状況によらず、パケットのゆらぎ量をできる限り小さくすることが求められている。
【０００３】
特に、ＥＴＨＥＲパケットのトラフィックが集中する伝送路インタフェースのＥＴＨＥＲパケット送信部においてパケットのゆらぎが発生しやすい。その理由は、トラフィックが集中するＥＴＨＥＲパケット処理部にはトラフィック状況によっては、内部バッファに保持し送信待ちとなっているパケットがある場合がある。このような場合において、ジャンボフレームのような大きなパケットが先に出力されると、その転送の間は送信待ちのパケットは出力を待つことになり、このことが積み重なることでパケットのゆらぎが発生してしまう。
【０００４】
上記の問題点を図５、図６を参照して説明する。
【０００５】
図６は、外部ＥＴＨＥＲパケット処理部について提案されている一例を示す。
【０００６】
図６において、外部ＥＴＨＥＲパケット処理部１０３ｂは、図示しないパケットスイッチ部から転送されてきた、他の装置に転送されるＥＴＨＥＲパケットを優先度に応じてクラス分けするＱｏＳ（Ｑｕａｌｉｔｙ  ｏｆ  Ｓｅｒｖｉｃｅ）分割部１１０ｂと、優先度に応じてクラス分けされたパケットを格納する第１〜第４のデータフレームバッファ部１１１ｂ−１〜１１１ｂ−４と、優先度に応じてクラス分けされたパケットのフラグメント処理を実施する第１〜第４のデータフラグメント部１１２ｂ−１〜１１２ｂ−４と、外部ＥＴＨＥＲパケット送信部１０５ｂに送信する送信キューをもつ送信バッファ部１１３ｂと、を含む。
【０００７】
この外部ＥＴＨＥＲパケット処理部１０３ｂにおいては、優先度に応じてクラス分けされた第１〜第４のデータフラグメント部１１２ｂ−１〜１１２ｂ−４はあらかじめパケット処理パラメータ部１０４ｂから通知される固定のＭＴＵ(Maximum Transmission Unit)に応じたフラグメントサイズでパケットのフラグメント（分割）を行っている。
【０００８】
近年のＥＴＨＥＲパケットは１５００バイトを超えるジャンボフレームを扱う装置が多く、一般的には転送効率を高める為に９６００バイトぐらいまでを扱う。このようなパケットは他の送信パケットが無い場合には、特に問題はない。しかし、ゆらぎ量を小さくしたいＩＥＥＥ１５８８のＰＴＰパケットのような最優先パケットが存在している場合には、優先度に応じたクラス分けで送信キューから優先的に出力を行っても、ジャンボフレームが転送状態に入った場合に、送信キューに入っても、送信中は待たされる為、この分のゆらぎが発生する。これを、図５を参照して説明する。
【０００９】
図５において、優先度が高く、ゆらぎ許容量の小さいパケット「１」は、他のパケットが無い場合の送信（図５（ａ））においては、ゆらぎがなく送信することができる。しかし、他のパケットがある場合、これまでの固定フラグメントによる送信（図５（ｂ））では、先にパケット長の長いパケット（例えば「４」）が転送状態に入った場合には、パケット「１」の送信は待たされ、図５（ａ）の場合と比べ、最優先パケットが遅れるため、この分ゆらぎが発生してしまう。
【先行技術文献】
【特許文献】
【００１０】
【特許文献１】特開２００２−１６６３７号公報
【発明の概要】
【発明が解決しようとする課題】
【００１１】
上記のような問題に対し、特許文献１には、低優先パケットを送信することにより発生するプレミアムパケットの送信遅延および送信ジッタを低減し且つ低優先パケットを効率的に送信できるようにすることを課題とし、以下のような構成のパケットスケジューリング装置が示されている。
【００１２】
パケットスケジューリング装置は、パケット入力部、スケジューラ部、パケット分割部、パケット出力部およびパケットバッファを備え、プレミアムパケットキューおよび低優先パケットキューからなるパケットキュー群を有する。スケジューラ部は、スケジューリングキューおよびスケジューラを有する。低優先パケットは、プレミアムパケットの送信間隔以内に収まる長さの複数パケットにパケット分割部により分割され、プレミアムパケットの送信間隔又は負荷状況に基づき動的にスケジューリングが行われる。
【００１３】
上記のパケットスケジューリング装置では、パケットを、プレミアムパケットと低優先パケットという２種類のみのクラス分けでしか扱っていない。しかるに、パケットについて優先度に応じたクラス分けを行う場合、クラス分けは、３種類以上とされるのが普通である。
【００１４】
本発明は、３種類以上の優先度に応じてクラス分けされたパケットを対象とすることを前提とし、優先度の高いパケットを送信する際に優先度の高いパケットのゆらぎ量を小さくできるようにすることを課題とする。
【課題を解決するための手段】
【００１５】
本発明は、上記課題を達成する為に、優先度の高いパケット以外の優先度の低いパケットを適応的にフラグメントさせて、優先度の高いパケットを一定のタイミングで送信できるように制御する手段を備える点に特徴を有する。
【００１６】
一般的に優先度が高くゆらぎ量を小さくしたいパケットは、低レートでパケット長が比較的小さい。一方でパケット長が大きく高レートのパケットは、優先度が低く、ゆらぎの許容量も大きい。
【００１７】
そこで本発明では、パケットのＱｏＳに応じて、リアルタイム性を求められるパケット、つまり優先度の高いパケットが転送される場合には、このパケットよりも優先度が低く、ゆらぎ量に影響されないパケット長の比較的長いパケットを対象に適応的にパケットをフラグメントさせて、優先度が高くゆらぎ量を小さくしたいパケットを一定のタイミングで送信できるように制御する手段を備える。
【００１８】
本発明の第１の態様によれば、送信されるべきパケットを優先度に応じて３種類以上にクラス分けして格納する３つ以上のデータフレームバッファ部と、該３つ以上のデータフレームバッファ部に対応して設けられてクラス分けされたパケットに対してフラグメント処理を行なう３つ以上のデータフラグメント部と、クラス分けされた前記３つ以上のデータフレームバッファ部の監視を行い、各データフレームバッファ部の状態に応じて、クラス分けされた前記３つ以上のデータフラグメント部のそれぞれにフラグメントサイズを通知するパケット処理パラメータ部と、を備えることを特徴とするパケット送信装置が提供される。
【００１９】
上記第１の態様によるパケット送信装置においては、前記パケット処理パラメータ部は、優先度の高い前記データフレームバッファ部から優先度の高いパケットを一定のタイミングで送信する際に、前記優先度の高い前記データフレームバッファ部に対応する前記データフラグメント部以外の各データフラグメント部に対して優先度の低いパケットを適応的にフラグメントさせることが望ましい。
【００２０】
上記第１の態様によるパケット送信装置においてはまた、前記パケット処理パラメータ部は、前記優先度の高い前記データフレームバッファ部に対応する前記データフラグメント部以外の各データフラグメント部に対するフラグメントサイズを、トラフィック状態に応じて可変であるように制御するようにしても良い。
【００２１】
本発明の第２の態様によれば、送信されるべきパケットを優先度に応じて３種類以上にクラス分けして格納する３つ以上のデータフレームバッファ部と、該３つ以上のデータフレームバッファ部に対応して設けられてクラス分けされたパケットに対してフラグメント処理を行なう３つ以上のデータフラグメント部と、を含むパケット送信装置によるパケット送信方法であって、クラス分けされた前記３つ以上のデータフレームバッファ部の監視を行い、その監視の状態に応じて、クラス分けされた前記３つ以上のデータフラグメント部のそれぞれにフラグメントサイズを通知することにより、優先度の低いパケットを適応的にフラグメントさせて優先度の高いパケットを一定のタイミングで送信することを特徴とするパケット送信方法が提供される。
【発明の効果】
【００２２】
本発明によれば、３種類以上の優先度に応じてクラス分けされたパケットを対象とする場合であっても、優先度が高くゆらぎ量を小さくしたいパケットをトラフィック状態によらず、一定のタイミングで送信できるので、優先度の高いパケットのゆらぎ量を小さくすることができる。その理由は、優先度の低いパケットを適応的にフラグメントさせて優先度の高いパケットを一定のタイミングで送信できようにしたからである。
【図面の簡単な説明】
【００２３】
【図１】本発明に係るパケット送信装置の実施例の構成を示すブロック図である。
【図２】図１に示されたパケット送信装置における外部ＥＴＨＥＲパケット処理部の構成例を示すブロック図である。
【図３】本発明の実施例において、優先度に応じてクラス分けしたパケットのフラグメントサイズをトラフィック状態に応じて制御する、適応フラグメントの動作を説明するためのフローチャート図である。
【図４】本発明の他の実施例として、図２の実施例を拡張した構成を示すブロック図である。
【図５】優先パケットのゆらぎの問題とこれを解消した本発明の実施例によるパケットの適応フラグメントを説明するための図である。
【図６】固定フラグメントタイプの外部ＥＴＨＥＲパケット処理部の提案例を示したブロック図である。
【発明を実施するための形態】
【００２４】
以下に、図面を参照して本発明の実施例について説明する。
【００２５】
（実施例の構成）
図１は本発明に係るパケット送信装置の実施例の構成を示す。図１は、Ｅｔｈｅｒｎｅｔ送信機能を有する伝送路インタフェースに向けた構成の概要を示しているが、説明の便宜上の構成であり、この構成に限定されるわけではない。
【００２６】
このパケット送信装置は、装置内部のＥＴＨＥＲパケットを転送する第１〜第Ｍの内部ＥＴＨＥＲパケット送信部１０１−１〜１０１−Ｍ（Ｍは正の整数）と、各内部ＥＴＨＥＲパケット送信部から転送されるＥＴＨＥＲパケットをルーティングするパケットスイッチ部１０２と、ＱｏＳやデータフラグメント等のパケット処理を行う外部ＥＴＨＥＲパケット処理部１０３と、前記パケット処理に必要なパラメータを設定するパケット処理パラメータ部１０４と、他の装置にＥＴＨＥＲパケットを転送する外部ＥＴＨＥＲパケット送信部１０５を有する。他の装置との伝送路インタフェース１０６の転送速度として１０００Mbpsや１００Mbpsや１０Mbpsがある。
【００２７】
図２は、図１に示された外部ＥＴＨＥＲパケット処理部１０３の構成例を示す。図２では、説明の便宜上、パケットを４つの優先度に応じてクラス分けした場合を例示して説明するが、この構成に限定されるわけではない。
【００２８】
外部ＥＴＨＥＲパケット処理部１０３は、図１に示したパケットスイッチ部１０２から転送された、他の装置に転送されるＥＴＨＥＲパケットを優先度に応じてクラス分けするＱｏＳ分割部１１０と、優先度に応じてクラス分けされたパケットを格納する第１〜第４のデータフレームバッファ部１１１−１〜１１１−４と、優先度に応じてクラス分けされたパケットのフラグメント処理を実施する第１〜第４のデータフラグメント部１１２−１〜１１２−４と、外部ＥＴＨＥＲパケット送信部１０５に送信する送信キューをもつ送信バッファ部１１３と、を含む。パケット処理パラメータ部１０４は、クラス分けされた第１〜第４のデータフレームバッファ部１１１−１〜１１１−４の監視を行い、各データフレームバッファ部の状態に応じて、クラス分けされた各データフラグメント部にフラグメントサイズを通知する。
【００２９】
優先度に応じてクラス分けされた第１〜第４のデータフレームバッファ部１１１−１〜１１１−４はそれぞれ、自己の状態をパケット処理パラメータ部１０４に通知する。パケット処理パラメータ部１０４では、優先度に応じてクラス分けされた各データフレームバッファ部の状態に応じて、優先度に応じてクラス分けされた第１〜第４のデータフラグメント部１１２−１〜１１２−４におけるデータフラグメントサイズを制御する。
【００３０】
図５を参照して前に説明したように、最優先パケットと他のパケットがある場合のこれまでの固定フラグメントによる送信（図５（ｂ））の場合、優先度が低くパケット長の長い他のパケットが転送状態に入ると、最優先パケットは他のパケットの転送終了まで待たされて、最優先パケットのゆらぎが発生してしまう。
【００３１】
このような問題に対して、本実施例では、優先度に応じてクラス分けされた各データフレームバッファ部の状態に応じて、優先度に応じてクラス分けされた各データフラグメント部におけるデータフラグメントサイズを制御する機能を持つパケット処理パラメータ部１０４を備える。これにより、図５（ｃ）に示す、他のパケットがある場合の本実施例の適応フラグメントによる送信のように、最優先パケットがある場合には、優先度が低くパケット長の長いパケットがフラグメントされる。その結果、最優先パケットを、他のパケットが無い場合の送信（図５（ａ））と同じような送信タイミングで送信することができる為、最優先パケットのゆらぎ量を抑えることができる。一方、優先度の高いパケットが無い場合には、パケット処理パラメータ部１０４は各データフラグメント部におけるデータフラグメントサイズを大きくしてゆき、これにより、できるだけデータ転送効率を高める構成とすることができる。
【００３２】
（実施例の動作）
優先度に応じてクラス分けされた第１〜第４のデータフレームバッファ部１１１−１〜１１１−４の状態に応じて、第１〜第４のデータフラグメント部１１２−１〜１１２−４のデータフラグメントサイズを可変制御するフローチャートを図３に示す。
【００３３】
一番優先度が高くゆらぎ量を小さくしたいパケットを第１のデータフレームバッファ部１１１−１と第１のデータフラグメント部１１２−１にて処理を扱い、優先度が低くなるにつれて、第２のデータフレームバッファ部１１１−２と第２のデータフラグメント部１１２−２、第３のデータフレームバッファ部１１１−３と第３のデータフラグメント部１１２−３、第４のデータフレームバッファ部１１１−４と第４のデータフラグメント部１１２−４で処理する構成として説明する。以下の処理は、パケット処理パラメータ部１０４が、図示しない記憶装置に格納されている制御プログラムを読み出してプログラムを実行することで実現される。
【００３４】
パケット処理パラメータ部１０４は、第１のデータフレームバッファ部１１１−１にパケットがあるかを判定する（図３のステップ１３０）。第１のデータフレームバッファ部１１１−１にパケットがある場合、パケット処理パラメータ部１０４は、第２〜第４のデータフラグメント部１１２−２〜１１２−４のフラグメントサイズを小さくする（図３のステップ１３２）。
【００３５】
第１のデータフレームバッファ部１１１−１にパケットが無い場合は、パケット処理パラメータ部１０４は、第２のデータフレームバッファ部１１２−２にパケットがあるかを判定する（図３のステップ１３４）。第２のデータフレームバッファ部１１２−２にパケットがある場合には、パケット処理パラメータ部１０４は、第２のデータフラグメント部１１２−２のフラグメントサイズを大きくし（図３のステップ１３６）、続いて、第３、第４のデータフラグメント部１１２−３、１１２−４のフラグメントサイズを小さくする（図３のステップ１３７）。
【００３６】
第２のデータフレームバッファ部１１２−２にパケットがない場合は、パケット処理パラメータ部１０４は、第３のデータフレームバッファ部１１２−３にパケットがあるかを判定する（図３のステップ１３９）。第３のデータフレームバッファ部１１２−３にパケットがある場合には、パケット処理パラメータ部１０４は、第３のデータフラグメント部１１２−３のフラグメントサイズを大きくし（図３のステップ１４１）、続いて、第４のデータフラグメント部１１２−４のフラグメントサイズを小さくする（図３のステップ１４２）。
【００３７】
第３のデータフレームバッファ部１１２−３にパケットがない場合は、パケット処理パラメータ部１０４は、第４のデータフレームバッファ部１１２−４にパケットがあるかを判定する（図３のステップ１４４）。第４のデータフレームバッファ部１１２−４にパケットがある場合には、パケット処理パラメータ部１０４は、第４のデータフラグメント部１１２−４のフラグメントサイズを大きくし（図３のステップ１４６）、第４のデータフレームバッファ部１１２−４にパケットがない場合には、何もしないでフローチャートの最初に戻る。
【００３８】
なお、フラグメントサイズを大きくする場合には、あらかじめ規定されているＭＴＵを超えないように制限する。またフラグメントサイズを小さくする場合にもあらかじめ規定されている最小サイズを超えないように制限する。これは、後述する他の実施例でも同様である。
【００３９】
（実施例の効果）
上記実施例の１つ目の効果は、優先度が高くゆらぎ量を小さくしたいパケットをトラフィック状態によらず、一定のタイミングで送信できるので、優先度の高いパケットのゆらぎ量を小さくすることができる。その理由は、上記実施例では優先度の高いパケットを送信する際に優先度が高いパケットのゆらぎ量を小さくする為に、他の優先度の低いパケットを適応的にフラグメントさせて優先度の高いパケットを一定のタイミングで送信する制御を実行するパケット処理パラメータ部１０４を備えることにより、複数の各データフレームバッファ部の状態に応じて、優先度に応じてクラス分けされたパケット毎にフラグメントサイズを制御できるからである。
【００４０】
上記実施例の２つ目の効果は、トラフィック状態に応じたパケット優先のフロー制御を、データ転送効率をなるべく落とさずに実行できることがあげられる。その理由は、パケット処理パラメータ部１０４が、複数の各データフレームバッファ部の状態に応じて、優先度に応じてクラス分けされたパケット毎にフラグメントサイズを制御する機能を持つだけでなく、そのパケットよりも優先度の高いパケットが無い場合には、データフラグメントサイズを大きくする制御機能を持つからである。
【００４１】
（他の実施例）
上記実施例では、説明の便宜上、優先度に応じたクラス分けを４としたが、図４に示すようにＮ（Ｎは正の整数）個の優先度に応じたクラス分けをして、Ｎ個に拡張することが可能である。
【００４２】
また、フラグメントサイズを小さくする量（例えば図３のステップ１３２、１３７、１４２）、フラグメントサイズを大きくする量（例えば図３のステップ１３６、１４１、１４６）は、それぞれ一律に同じ値であっても良いし、トラフィック状態に応じてステップ毎に異なるようにしても良い。これは、パケット処理パラメータ部１０４により実現することができる。
【００４３】
上記の実施例の一部又は全部は、以下の付記のようにも記載されうるが、以下には限られない。
【００４４】
（付記１）  送信されるべきパケットを優先度に応じて３種類以上にクラス分けして格納する３つ以上のデータフレームバッファ部と、
該３つ以上のデータフレームバッファ部に対応して設けられてクラス分けされたパケットに対してフラグメント処理を行なう３つ以上のデータフラグメント部と、
クラス分けされた前記３つ以上のデータフレームバッファ部の監視を行い、各データフレームバッファ部の状態に応じて、クラス分けされた前記３つ以上のデータフラグメント部のそれぞれにフラグメントサイズを通知するパケット処理パラメータ部と、
を備えることを特徴とするパケット送信装置。
【００４５】
（付記２）  前記パケット処理パラメータ部は、優先度の高い前記データフレームバッファ部から優先度の高いパケットを一定のタイミングで送信する際に、前記優先度の高い前記データフレームバッファ部に対応する前記データフラグメント部以外の各データフラグメント部に対して優先度の低いパケットを適応的にフラグメントさせることを特徴とする付記１に記載のパケット送信装置。
【００４６】
（付記３）  前記パケット処理パラメータ部は、前記優先度の高い前記データフレームバッファ部に対応する前記データフラグメント部以外の各データフラグメント部に対するフラグメントサイズを、トラフィック状態に応じて可変であるように制御することを特徴とする付記２に記載のパケット送信装置。
【００４７】
（付記４）  送信されるべきパケットを優先度に応じて３種類以上にクラス分けして格納する３つ以上のデータフレームバッファ部と、該３つ以上のデータフレームバッファ部に対応して設けられてクラス分けされたパケットに対してフラグメント処理を行なう３つ以上のデータフラグメント部と、を含むパケット送信装置によるパケット送信方法であって、
クラス分けされた前記３つ以上のデータフレームバッファ部の監視を行い、その監視の状態に応じて、クラス分けされた前記３つ以上のデータフラグメント部のそれぞれにフラグメントサイズを通知することにより、優先度の低いパケットを適応的にフラグメントさせて優先度の高いパケットを一定のタイミングで送信することを特徴とするパケット送信方法。
【００４８】
（付記５）  優先度の高い前記データフレームバッファ部から優先度の高いパケットを一定のタイミングで送信する際に、前記優先度の高い前記データフレームバッファ部に対応する前記データフラグメント部以外の各データフラグメント部に対して優先度の低いパケットを適応的にフラグメントさせることを特徴とする付記４に記載のパケット送信方法。
【００４９】
（付記６）  前記優先度の高い前記データフレームバッファ部に対応する前記データフラグメント部以外の各データフラグメント部に対するフラグメントサイズを、トラフィック状態に応じて可変であるように制御することを特徴とする付記５に記載のパケット送信方法。
【産業上の利用可能性】
【００５０】
本発明は、無線基地局装置等のデータ伝送品質が要求されるネットワーク装置全般に適用可能である。
【符号の説明】
【００５１】
１０１−１〜１０１−Ｍ    内部ＥＴＨＥＲパケット送信部
１０２    パケットスイッチ部
１０３、１０３ｂ    外部ＥＴＨＥＲパケット処理部
１０４、１０４ｂ    パケット処理パラメータ部
１０５、１０５ｂ    外部ＥＴＨＥＲパケット送信部
【図１】
2011172135.tif 000003
【図２】
2011172135.tif 000004
【図３】
2011172135.tif 000005
【図４】
2011172135.tif 000006
【図５】
2011172135.tif 000007
【図６】
2011172135.tif 000008